(57)【要約】【課題】現在何が世間で流行しているかをユーザが知ることができる放送受信装置を提供する。【解決手段】リモコンにおいて流行サーチキーが押されると、制御部６は、チューナ３が取得したＥＰＧ情報が有する番組詳細情報の全体からキーワードを抽出し、抽出されたキーワード毎の番組詳細情報の全体における個数を計数し、計数結果に基づきＯＳＤ部９に指示し、ＯＳＤ部９は指示に基づきビデオ信号を生成し表示装置に出力し、表示装置に個数が多い順にキーワードが表示される。【選択図】図１
2007266827.tif 000002
【特許請求の範囲】
【請求項１】
ＥＰＧ情報を取得するＥＰＧ取得手段と、
前記ＥＰＧ情報が有する少なくとも一種類の情報の全体または一部からキーワードを抽出し、抽出されたキーワード毎の前記少なくとも一種類の情報の全体または一部における個数を計数する制御手段と、
計数された個数の大きさの順番に従いキーワードを表示手段に表示させるための信号を生成する表示信号生成手段と、
記憶手段と、記録手段と、を備え、
前記表示手段に表示されたキーワードのいずれか一つが操作手段により選択され、前記操作手段により決定操作がされると、前記制御手段は、前記少なくとも一種類の情報のうち少なくとも一つに前記選択されたキーワードが含まれ、かつ、前記ＥＰＧ情報が有する放送終了時刻情報が表す放送終了時刻が現在時刻よりも後であるような放送番組を検索し、前記表示信号生成手段は、検索された放送番組に関する少なくとも一種類の情報を前記表示手段に表示させるための信号を生成し、
前記表示手段に表示された前記検索された放送番組に関する少なくとも一種類の情報のうち一つの放送番組に関する少なくとも一種類の情報が前記操作手段により選択され、前記操作手段により決定操作がされ、
もし現在時刻が前記放送番組の放送開始時刻から放送終了時刻の間にあれば、前記表示信号生成手段は、放送番組視聴を表す画像を前記表示手段に表示させるための信号を生成し、前記操作手段により決定操作がされると、前記表示信号生成手段は、前記放送番組の映像を前記表示手段に表示させるための信号の生成を開始し、
もし前記放送番組の放送開始時刻が現在時刻より後であれば、前記表示信号生成手段は、視聴予約を表す画像および録画予約を表す画像を前記表示手段に表示させるための信号を生成し、
前記操作手段により前記視聴予約を表す画像が選択され、前記操作手段により決定操作がされると、前記制御手段は、前記放送番組の放送開始時刻情報を前記記憶手段に記憶させ、その後、現在時刻が前記放送開始時刻情報が表す放送開始時刻に一致すると、前記表示信号生成手段は、前記放送番組の映像を前記表示手段に表示させるための信号の生成を開始し、
前記操作手段により前記録画予約を表す画像が選択され、前記操作手段により決定操作がされると、前記制御手段は、前記放送番組の放送開始時刻情報を前記記憶手段に記憶させ、その後、現在時刻が前記放送開始時刻情報が表す放送開始時刻に一致すると、前記記録手段は前記放送番組の映像音声情報を記録媒体に記録させることを開始する、
ことを特徴とする放送受信装置。
【請求項２】
ＥＰＧ情報を取得するＥＰＧ取得手段と、
前記ＥＰＧ情報が有する少なくとも一種類の情報の全体または一部からキーワードを抽出し、抽出されたキーワード毎の前記少なくとも一種類の情報の全体または一部における個数を計数する制御手段と、
計数された個数の大きさの順番に従いキーワードを表示手段に表示させるための信号を生成する表示信号生成手段と、を備えることを特徴とする放送受信装置。
【請求項３】
前記表示手段に表示されたキーワードのいずれか一つが操作手段により選択され、前記操作手段により決定操作がされると、前記制御手段は、前記少なくとも一種類の情報のうち少なくともいずれかに前記選択されたキーワードが含まれ、かつ、前記ＥＰＧ情報が有する放送終了時刻情報が表す放送終了時刻が現在時刻よりも後であるような放送番組を検索し、前記表示信号生成手段は、検索された放送番組に関する少なくとも一種類の情報を前記表示手段に表示させるための信号を生成する、ことを特徴とする請求項２に記載の放送受信装置。
【請求項４】
前記表示手段に表示された前記検索された放送番組に関する少なくとも一種類の情報のうち一つの放送番組に関する少なくとも一種類の情報が前記操作手段により選択され、前記操作手段により決定操作がされ、もし現在時刻が前記放送番組の放送開始時刻から放送終了時刻の間にあれば、前記表示信号生成手段は、放送番組視聴を表す画像を前記表示手段に表示させるための信号を生成し、
前記操作手段により決定操作がされると、前記表示信号生成手段は、前記放送番組の映像を前記表示手段に表示させるための信号の生成を開始する、ことを特徴とする請求項３に記載の放送受信装置。
【請求項５】
記憶手段と、記録手段と、をさらに備え、
前記表示手段に表示された前記検索された放送番組に関する少なくとも一種類の情報のうち一つの放送番組に関する少なくとも一種類の情報が前記操作手段により選択され、前記操作手段により決定操作がされ、もし前記放送番組の放送開始時刻が現在時刻より後であれば、前記表示信号生成手段は、視聴予約を表す画像および録画予約を表す画像を前記表示手段に表示させるための信号を生成し、
前記操作手段により前記視聴予約を表す画像が選択され、前記操作手段により決定操作がされると、前記制御手段は、前記放送番組の放送開始時刻情報を前記記憶手段に記憶させ、その後、現在時刻が前記放送開始時刻情報が表す放送開始時刻に一致すると、前記表示信号生成手段は、前記放送番組の映像を前記表示手段に表示させるための信号の生成を開始し、
前記操作手段により前記録画予約を表す画像が選択され、前記操作手段により決定操作がされると、前記制御手段は、前記放送番組の放送開始時刻情報を前記記憶手段に記憶させ、その後、現在時刻が前記放送開始時刻情報が表す放送開始時刻に一致すると、前記記録手段は前記放送番組の映像音声情報を記録媒体に記録させることを開始する、
ことを特徴とする請求項３に記載の放送受信装置。
【発明の詳細な説明】
【技術分野】
【０００１】
本発明は、放送受信装置に関する。
【背景技術】
【０００２】
昨今、ＥＰＧ（Ｅｌｅｃｔｒｏｎｉｃ  Ｐｒｏｇｒａｍ  Ｇｕｉｄｅ：電子番組表）情報が重畳された放送電波を受信し、取得したＥＰＧ情報を様々な機能に利用する放送受信装置が普及している。
【０００３】
このようなＥＰＧ情報を利用する放送受信装置としては、例えば特許文献１に、ＥＰＧ情報が有する番組内容を表す文字情報においてユーザにより入力されたキーワードと同一の語句が存在する数を番組毎に算出し、この数が大きい順に番組名を表示装置にリスト表示させるような放送受信装置が開示されている。
【０００４】
このような放送受信装置であれば、ユーザは、現在流行している事柄を表すキーワードを入力し、そのキーワードと関連が深い番組を探し出すことができる。
【特許文献１】特開２００３−１７９８２７号公報
【発明の開示】
【発明が解決しようとする課題】
【０００５】
しかし、上記特許文献１のような放送受信装置では、現在流行している事柄は他の情報源から調べキーワードを自ら入力する必要があり、放送受信装置により現在何が世間で流行しているかをユーザが知ることはできなかった。
【０００６】
そこで、本発明は、現在何が世間で流行しているかをユーザが知ることができる放送受信装置を提供することを目的とする。
【課題を解決するための手段】
【０００７】
上記目的を達成するために本発明の放送受信装置は、ＥＰＧ情報を取得するＥＰＧ取得手段と、
前記ＥＰＧ情報が有する少なくとも一種類の情報の全体または一部からキーワードを抽出し、抽出されたキーワード毎の前記少なくとも一種類の情報全体における個数を計数する制御手段と、
計数された個数の大きさの順番に従いキーワードを表示手段に表示させるための信号を生成する表示信号生成手段と、を備えることを特徴としている。
【０００８】
このような構成によれば、ユーザは現在何が世間で流行しているかを知ることができる。
【０００９】
また、本発明の放送受信装置は、前記表示手段に表示されたキーワードのいずれか一つが操作手段により選択され、前記操作手段により決定操作がされると、前記制御手段は、前記少なくとも一種類の情報のうち少なくともいずれかに前記選択されたキーワードが含まれ、かつ、前記ＥＰＧ情報が有する放送終了時刻情報が表す放送終了時刻が現在時刻よりも後であるような放送番組を検索し、前記表示信号生成手段は、検索された放送番組に関する少なくとも一種類の情報を前記表示手段に表示させるための信号を生成する、ことを特徴としている。
【００１０】
このような構成によれば、上記で得られたキーワードのうちユーザが興味のあるキーワードに関連する放送番組で現在放送中またはこれから放送されるものをユーザが確認することができる。
【００１１】
また、本発明の放送受信装置は、前記表示手段に表示された前記検索された放送番組に関する少なくとも一種類の情報のうち一つの放送番組に関する少なくとも一種類の情報が前記操作手段により選択され、前記操作手段により決定操作がされ、もし現在時刻が前記放送番組の放送開始時刻から放送終了時刻の間にあれば、前記表示信号生成手段は、放送番組視聴を表す画像を前記表示手段に表示させるための信号を生成し、
前記操作手段により決定操作がされると、前記表示信号生成手段は、前記放送番組の映像を前記表示手段に表示させるための信号の生成を開始する、ことを特徴としている。
【００１２】
このような構成によれば、上記で得られたキーワードのうちユーザが興味のあるキーワードに関連する放送番組で現在放送されているものをユーザが簡単な操作で視聴できる。
【００１３】
また、本発明の放送受信装置は、記憶手段と、記録手段と、をさらに備え、
前記表示手段に表示された前記検索された放送番組に関する少なくとも一種類の情報のうち一つの放送番組に関する少なくとも一種類の情報が前記操作手段により選択され、前記操作手段により決定操作がされ、もし前記放送番組の放送開始時刻が現在時刻より後であれば、前記表示信号生成手段は、視聴予約を表す画像および録画予約を表す画像を前記表示手段に表示させるための信号を生成し、
前記操作手段により前記視聴予約を表す画像が選択され、前記操作手段により決定操作がされると、前記制御手段は、前記放送番組の放送開始時刻情報を前記記憶手段に記憶させ、その後、現在時刻が前記放送開始時刻情報が表す放送開始時刻に一致すると、前記表示信号生成手段は、前記放送番組の映像を前記表示手段に表示させるための信号の生成を開始し、
前記操作手段により前記録画予約を表す画像が選択され、前記操作手段により決定操作がされると、前記制御手段は、前記放送番組の放送開始時刻情報を前記記憶手段に記憶させ、その後、現在時刻が前記放送開始時刻情報が表す放送開始時刻に一致すると、前記記録手段は前記放送番組の映像音声情報を記録媒体に記録させることを開始する、
ことを特徴としている。
【００１４】
このような構成によれば、上記で得られたキーワードのうちユーザが興味のあるキーワードに関連する放送番組の視聴予約や録画予約が簡単な操作ででき、放送開始時刻になると視聴や録画が行える。
【発明の効果】
【００１５】
本発明の放送受信装置によれば、ユーザは現在何が世間で流行しているかを知ることができる。
【発明を実施するための最良の形態】
【００１６】
以下、本発明の実施形態の一例について図面を参照し説明する。図１は、本発明に係るハードディスクレコーダ１のブロック図である。なお、本発明はハードディスクレコーダに限らず、テレビやＤＶＤレコーダ等の放送受信装置に適用可能である。
【００１７】
アンテナ２は、放送電波を受信し高周波信号に変換しチューナ３に送出する。チューナ３は、アンテナ２から入力される高周波信号から制御部６により指示されるチャンネルの高周波信号を抽出し映像信号および音声信号を出力する。また、チューナ３は、アンテナ２から入力される高周波信号からＥＰＧ（電子番組表）情報を抽出し出力する。
【００１８】
ＭＰＥＧコーデック４は、チューナ３からの映像信号および音声信号を圧縮したり、ハードディスクドライブ５がハードディスクから読み出した圧縮された映像信号および音声信号を伸長したりする。ハードディスクドライブ５は、ＭＰＥＧコーデック４が圧縮した映像信号および音声信号を内蔵するハードディスクに記録させたり、ハードディスクから圧縮された映像信号および音声信号を読み出したりする。また、ハードディスクドライブ５は、チューナ３が取得したＥＰＧ情報に基づくデータベースをハードディスクに記録したりハードディスクから読み出したりもする。
【００１９】
ＯＳＤ（Ｏｎ  Ｓｃｒｅｅｎ  Ｄｉｓｐｌａｙ）部９は、制御部６からの指示に基づき図形信号や文字信号を生成し、チューナ３やＭＰＥＧコーデック４から入力される映像信号と合成してビデオ信号を生成し、不図示のテレビ等の表示装置に送出する。内部時計７は、時刻を計測する。リモコン受信部８は、不図示のリモコンから赤外線信号を受信しコード信号を制御部６に送出する。
【００２０】
このような構成の本発明に係るハードディスクレコーダ１の特徴的な機能である流行サーチ機能等について以下、図８に示すフローチャートに沿って説明する。
【００２１】
ここで、チューナ３が取得したＥＰＧ情報に基づくデータベースがハードディスクドライブ５によりハードディスクに記録されているものとする。図２のようにＥＰＧ情報に基づくデータベースは、チャンネル情報、放送時間情報、番組名情報、番組詳細情報から構成される。
【００２２】
まず、ステップＳ１０で、不図示のリモコンが有する流行サーチキーが押され、リモコン受信部８が該操作に対応するコード信号を制御部６に送出する。すると、ステップＳ２０で、制御部６は、ハードディスクに記録されたデータベースに基づき番組詳細情報全体からキーワードを抽出する。キーワードの抽出については、形態素解析を用いる手法等、公知の様々な手法を使用すればよい。
【００２３】
次に、ステップＳ３０で、制御部６は、上記で抽出されたキーワード毎の番組詳細情報全体における個数を計数する。そして、ステップＳ４０で、制御部６は、計数結果に基づきＯＳＤ部９に指示し、ＯＳＤ部９は指示に基づきビデオ信号を生成し、不図示の表示装置に送出する。すると、表示装置には、上記で計数された個数の多い順番にキーワードが並んで表示され、各キーワードの隣には順位も表示される。また、順位が１位のキーワードの背景が色付き表示される。
【００２４】
例えば、図２のようなデータベースに基づき番組詳細情報全体から「デトックス」「韓国」「健康食品」「耐震偽装」「総選挙」「ＩＴ」「温泉」「情報家電」「ゆとり教育」「ニュース」がキーワードとして抽出され、これらのキーワードの番組詳細情報全体における各個数が、「デトックス」が１２個、「韓国」が１１個、「健康食品」が９個、「耐震偽装」が７個、「総選挙」が６個、「ＩＴ」が５個、「温泉」が４個、「情報家電」が３個、「ゆとり教育」が２個、「ニュース」が１個である場合、図３のように表示されることになる。
【００２５】
番組詳細情報全体における個数が多いキーワードほど現在世間で流行している事柄であると考えられるため、ユーザはこのような表示により現在何が世間で流行しているかを知ることができる。
【００２６】
なお、キーワードを番組名情報および番組詳細情報の全体から抽出し、抽出されたキーワード毎の番組名情報および番組詳細情報の全体における個数を計数するようにしてもよい。また、チャンネル情報や放送時間情報や番組名情報がユーザの設定する条件に一致する放送番組の番組詳細情報全体、または番組名情報および番組詳細情報の全体についてキーワードの抽出やキーワード毎の個数の計数を行うようにしてもよい。
【００２７】
ここで、リモコンが有するカーソルキーが押されると、制御部６のＯＳＤ部９への指示により、キーワードの背景が順次色付き表示される。ステップＳ５０で、あるキーワードの背景が色付き表示された状態でリモコンが有する決定キーが押されると、ステップＳ６０で、制御部６は、そのキーワードが番組詳細情報に含まれ、かつ、放送時間情報が表す放送終了時刻が内部時計７から取得した現在時刻よりも後であるような放送番組をデータベースに基づき検索する。そして、ステップＳ７０で、制御部６は、検索された放送番組のチャンネル情報、放送時間情報、番組名情報、番組詳細情報に基づきＯＳＤ部９に指示し、ＯＳＤ部９は指示に基づきビデオ信号を生成し、不図示の表示装置に送出する。すると、表示装置には、上記で検索された放送番組のチャンネル、放送時間、番組名、番組詳細がリスト表示される。また、このとき最上段の放送番組の各項目の背景が色付き表示される。
【００２８】
図４は、図３のようにキーワード「デトックス」の背景が色付き表示された状態で、２００５／１１／２２の１８：００にリモコンが有する決定キーが押されたときの表示結果を示している。図２より、「デトックス」が番組詳細情報に含まれ、かつ、放送時間情報が表す放送終了時刻が現在時刻である２００５／１１／２２の１８：００よりも後であるような放送番組は、「××の話題拡大スペシャル」「×△大辞典」「△△の達人」「ＴＶ□□」「おやすみなさい○○」であるため（ただし、図２中「ＴＶ□□」と「おやすみなさい○○」との間の放送番組の番組詳細情報に「デトックス」が含まれていないものとする）、図４ではこれらの放送番組のチャンネル、放送時間、番組名、番組詳細がリスト表示されている。
【００２９】
なお、前述のようにキーワードの抽出および個数の計数を番組名情報および番組詳細情報全体について行った場合は、上記のようにキーワードの背景が色付き表示された状態でリモコンが有する決定キーが押されると、制御部６は、そのキーワードが番組名情報と番組詳細情報とのうち少なくともいずれかに含まれ、かつ、放送時間情報が表す放送終了時刻が内部時計７から取得した現在時刻よりも後であるような放送番組をデータベースに基づき検索するようにしてもよい。
【００３０】
また、前述のようにキーワードの抽出および個数の計数を、ユーザの設定した条件で絞り込んだ放送番組の番組詳細情報全体、または番組名情報および番組詳細情報全体について行った場合は、上記のようにキーワードの背景が色付き表示された状態でリモコンが有する決定キーが押されると、制御部６は、そのキーワードが番組詳細情報に含まれ、かつ、放送時間情報が表す放送終了時刻が内部時計７から取得した現在時刻よりも後であるような放送番組、または、そのキーワードが番組名情報と番組詳細情報とのうち少なくともいずれかに含まれ、かつ、放送時間情報が表す放送終了時刻が内部時計７から取得した現在時刻よりも後であるような放送番組、を上記絞り込んだ放送番組の中からデータベースに基づき検索するようにしてもよい。
【００３１】
ここで、リモコンが有するカーソルキーが押されると、制御部６のＯＳＤ部９への指示により、各放送番組の各項目の背景が順次色付き表示される。ステップＳ８０で、ある放送番組の各項目の背景が色付き表示された状態でリモコンが有する決定キーが押されると、ステップＳ９０で、制御部６は、内部時計７から取得した現在時刻が、背景が色付き表示された放送開始時刻から放送終了時刻の間にあるか否かを判定し、もし現在時刻が放送開始時刻から放送終了時刻までの間である場合は（ステップＳ９０のＹ）、制御部６はその比較結果に基づきＯＳＤ部９に指示し、ＯＳＤ部９は指示に基づきビデオ信号を生成し、不図示の表示装置に送出する。すると、表示装置には「番組視聴」と書かれたボタンを有する窓が前面に表示される。
【００３２】
図５は、図４のように放送番組「××の話題拡大スペシャル」の各項目の背景が色付き表示された状態で、２００５／１１／２２の１８：０５にリモコンが有する決定キーが押されたときの表示結果を示している。現在時刻である２００５／１１／２２の１８：０５は、背景が色付き表示された放送開始時刻である２００５／１１／２２の１７：００から放送終了時刻である２００５／１１／２２の１９：００の間にあるため、図５のように「番組視聴」と書かれたボタンを有する窓Ｗ１が前面に表示されている。
【００３３】
ここで、リモコンが有する決定ボタンが押されると、制御部６は、背景が色付き表示されているチャンネル（図５であれば２チャンネル）を選局するようチューナ３に指示する。すると、チューナ３は、アンテナ２から入力される高周波信号から制御部６により指示されたチャンネルの高周波信号を抽出し、映像信号をＯＳＤ部９に出力する。そして、ＯＳＤ部９がチューナ３から入力される映像信号に基づきビデオ信号を表示装置に出力し、表示装置に放送番組の映像が表示される。
【００３４】
これにより、流行サーチによって得られたキーワードのうちユーザが興味のあるキーワードに関連する放送番組で現在放送されているものをユーザが簡単な操作で視聴できる。
【００３５】
また、上記ステップＳ９０で、もし現在時刻が背景が色付き表示された放送開始時刻から放送終了時刻までの間でない場合は（ステップＳ９０のＮ）、ステップＳ１００で、制御部６は、背景が色付き表示された放送開始時刻が現在時刻よりも後であるか否かを判定する。もし放送開始時刻が現在時刻よりも後である場合は（ステップＳ１００のＹ）、制御部６はその比較結果に基づきＯＳＤ部９に指示し、ＯＳＤ部９は指示に基づきビデオ信号を生成し、不図示の表示装置に送出する。すると、表示装置には、「視聴予約」と書かれたボタンおよび「録画予約」と書かれたボタンを有する窓が前面に表示される。このとき、「視聴予約」と書かれたボタンが色付き表示される。
【００３６】
図６は、図４においてリモコンが有するカーソルキーの操作により放送番組「△△の達人」の各項目の背景が色付き表示された状態で、２００５／１１／２２の１８：０５にリモコンが有する決定キーが押されたときの表示結果を示している。背景が色付き表示されている放送開始時刻である２００５／１１／２２の２０：００は、現在時刻である２００５／１１／２２の１８：０５よりも後であるため、図６のように「視聴予約」と書かれたボタンおよび「録画予約」と書かれたボタンを有する窓Ｗ２が前面に表示されている。
【００３７】
ここで、リモコンが有するカーソルキーの操作により「視聴予約」と書かれたボタンおよび「録画予約」と書かれたボタンのいずれかが色付き表示される。もし、「視聴予約」と書かれたボタンが色付き表示された状態でリモコンが有する決定キーが押されると、制御部６は、背景が色付き表示されているチャンネル（図６であれば２チャンネル）を表すチャンネル情報と、背景が色付き表示されている放送開始時刻（図６であれば２００５／１１／２２の２０：００）を表す放送開始時刻情報とを不図示のメモリに記憶させる。その後、内部時計７から取得される現在時刻とメモリに記憶された放送開始時刻情報が表す放送開始時刻とが一致すると、制御部６は、メモリに記憶されたチャンネル情報が表すチャンネルを選局するようチューナ３に指示する。すると、チューナ３は、アンテナ２から入力される高周波信号から制御部６により指示されたチャンネルの高周波信号を抽出し、映像信号をＯＳＤ部９に出力する。そして、ＯＳＤ部９がチューナ３から入力される映像信号に基づきビデオ信号を表示装置に出力し、表示装置に放送番組の映像が表示される。
【００３８】
またもし、「録画予約」と書かれたボタンが色付き表示された状態でリモコンが有する決定キーが押されると、制御部６は、背景が色付き表示されているチャンネル（図６であれば２チャンネル）を表すチャンネル情報と、背景が色付き表示されている放送開始時刻（図６であれば２００５／１１／２２の２０：００）を表す放送開始時刻情報とを不図示のメモリに記憶させる。その後、内部時計７から取得される現在時刻とメモリに記憶された放送開始時刻情報が表す放送開始時刻とが一致すると、制御部６は、メモリに記憶されたチャンネル情報が表すチャンネルを選局するようチューナ３に指示する。そして、チューナ３は、アンテナ２から入力される高周波信号から制御部６により指示されたチャンネルの高周波信号を抽出し、映像信号および音声信号をＭＰＥＧコーデック４に出力する。ＭＰＥＧコーデック４は、チューナ３から入力される映像信号および音声信号を圧縮し、ハードディスクドライブ５が、ＭＰＥＧコーデック４で圧縮された映像信号および音声信号をハードディスクに記録させる。
【００３９】
これにより、流行サーチによって得られたキーワードのうちユーザが興味のあるキーワードに関連する放送番組の視聴予約や録画予約が簡単な操作ででき、放送開始時刻になると視聴や録画が行える。
【００４０】
また、上記ステップＳ１００で、背景が色付き表示された放送開始時刻が現在時刻よりも後でない場合は（ステップＳ１００のＮ）、制御部６は該判定結果に基づきＯＳＤ部９に指示し、ＯＳＤ部９は指示に基づきビデオ信号を生成し、不図示の表示装置に送出する。すると、表示装置には、「この放送番組は既に放送終了しています」と書かれた窓が前面に表示される。
【００４１】
図７は、図４のように放送番組「××の話題拡大スペシャル」の各項目の背景が色付き表示された状態で、２００５／１１／２２の１９：０５にリモコンが有する決定キーが押されたときの表示結果を示している。現在時刻である２００５／１１／２２の１９：０５が、背景が色付き表示された放送開始時刻である２００５／１１／２２の１７：００から放送終了時刻である２００５／１１／２２の１９：００の間になく、放送開始時刻が現在時刻よりも後でないため、「この放送番組は既に放送終了しています」と書かれた窓Ｗ３が前面に表示されている。
【図面の簡単な説明】
【００４２】
【図１】は、本発明に係るハードディスクレコーダのブロック図である。
【図２】は、ＥＰＧ情報に基づくデータベースの例を示す図である。
【図３】は、流行サーチ結果の表示例を示す図である。
【図４】は、キーワードに関連する放送番組についての情報の表示例を示す図である。
【図５】は、「番組視聴」と書かれたボタンの表示例である。
【図６】は、「視聴予約」と書かれたボタンおよび「録画予約」と書かれたボタンの表示例を示す図である。
【図７】は、放送番組が既に終了している旨が書かれた窓の表示例を示す図である。
【図８】は、流行サーチおよびそれに付随する動作についてのフローチャートである。
【符号の説明】
【００４３】
１    ハードディスクレコーダ
２    アンテナ
３    チューナ
４    ＭＰＥＧコーデック
５    ハードディスクドライブ
６    制御部
７    内部時計
８    リモコン受信部
９    ＯＳＤ部
Ｗ１、Ｗ２、Ｗ３    窓
【図１】
2007266827.tif 000003
【図２】
2007266827.tif 000004
【図３】
2007266827.tif 000005
【図４】
2007266827.tif 000006
【図５】
2007266827.tif 000007
【図６】
2007266827.tif 000008
【図７】
2007266827.tif 000009
【図８】
2007266827.tif 000010